(57)【要約】【課題】使用済みセンサは血液が付着しており、包装してから廃棄しなければならなかった。【解決手段】穿刺部２５を有する筐体２２と、この筐体２２内に設けられるとともにセンサ２３が積層収納されたセンサカートリッジ２４と、このセンサカートリッジ２４からセンサ２３を一枚ずつ穿刺部２５へ搬送する搬送手段３０と、穿刺部２５に対向して設けられたレーザ発射装置２６と、穿刺部２５に搬送されたセンサ２３と電気的に接続された電気回路部２７とを備え、筐体２２内にフィルム１６が収納されたフィルムカートリッジ１７を設け、このフィルムカートリッジ１７から導出されたフィルム１６でレーザ発射装置２６による穿刺済みのセンサ２３ｂを包装する包装手段２０（フィルムカートリッジ１７、保持部１８、押し込み切断部１９）を有する。【選択図】図１
2009022405.tif 000002
【特許請求の範囲】
【請求項１】
穿刺部を有する筐体と、この筐体内に設けられるとともに血液センサが積層収納されたセンサカートリッジと、このセンサカートリッジから前記血液センサを一枚ずつ前記穿刺部へ搬送する搬送手段と、前記穿刺部に対向して設けられた穿刺手段と、前記穿刺部に搬送された前記血液センサと電気的に接続された電気回路部とを備え、前記筐体内にフィルムが収納されたフィルムカートリッジを設け、このフィルムカートリッジから導出されたフィルムで前記穿刺手段による穿刺済みの血液センサを包装する包装手段を有した血液検査装置。
【請求項２】
フィルムにはレーザ光が透過する部材を用いるとともに、前記穿刺手段にはレーザ発射装置を用いた請求項１に記載の血液検査装置。
【請求項３】
包装手段は、穿刺手段と穿刺部との間を通ってフィルムを保持する保持部と、この保持部へ前記フィルムを押し込んだ後に切断する押し込み切断部とで構成された請求項１に記載の血液検査装置。
【請求項４】
前記フィルムは、穿刺手段と血液センサを保持する穿刺部との間に配置されて、穿刺時における汚れや血液などの飛散に対して、穿刺手段への汚れを防止する機能を有する請求項１から３のいずれかに記載の血液検査装置。
【請求項５】
前記包装手段は、前記フィルムを熱圧着して包装する熱圧着部を有する請求項１に記載に血液検査装置。
【請求項６】
血液センサは、筐体に設けられた排出口から搬送手段で排出されるとともに、この排出口に前記センサを係止する係止手段が設けられた請求項１に記載の血液検査装置。
【請求項７】
血液センサが係止手段に係止された状態で、包装手段で包装する請求項６に記載の血液検査装置。
【請求項８】
センサカートリッジと穿刺部は一体化された請求項１に記載の血液検査装置。
【請求項９】
センサカートリッジとフィルムカートリッジは一体化された請求項１に記載の血液検査装置。
【請求項１０】
穿刺部は、搬送された血液センサを固定するホルダで形成されるとともに、このホルダに固定された前記血液センサの貯留部を貫通して穿刺する請求項１に記載の血液検査装置。
【請求項１１】
ホルダは、第１のホルダと第２のホルダで構成されるとともに、この第１、第２のホルダで血液センサを挟持して固定する請求項１０に記載の血液検査装置。
【請求項１２】
第１のホルダ或いは第２のホルダに突起部を設け、この突起部と血液センサに形成された位置決め孔とが嵌合して血液センサの位置決めを行なう請求項１１に記載の血液検査装置。
【請求項１３】
穿刺部近傍の皮膚を負圧する負圧手段を有し、前記フィルムと血液センサを保持する穿刺部とにより負圧室を形成し、この負圧室を前記負圧手段で負圧することを特徴とする請求項１に記載の血液検査装置。
【請求項１４】
請求項１に記載の血液検査装置を用いた検査方法であって、前記血液検査装置に形成された穿刺部を皮膚に当接させる第１のステップと、この第１のステップの後で、穿刺手段を用いて前記皮膚を穿刺する第２のステップと、この第２のステップの後で、穿刺された血液センサを包装する第３のステップとを有する血液検査装置を用いた検査方法。
【請求項１５】
請求項３に記載の血液検査装置を用いた方法であって、前記包装手段により、穿刺手段と穿刺部との間にフィルムを通して保持部で保持する第１の保持ステップと、この保持ステップの後で、前記血液検査装置において穿刺・測定が完了後、搬送手段により、穿刺済みの血液センサにより保持部で保持しているフィルムを押しながら前記筐体の外部に搬送する搬送ステップと、この搬送ステップの後で、前記使用済み血液センサを内部に包むようにフィルムを保持する第２の保持ステップと、この第２の保持ステップの後で、押し込み切断部により、血液センサを包装したフィルムを切断する切断ステップを有する血液検査装置を用いた検査方法。
【請求項１６】
請求項５に記載の血液検査装置を用いた検査方法であって、前記包装手段により、穿刺手段と穿刺部との間にフィルムを通して保持部で保持する第１の保持ステップと、この保持ステップの後で前記血液検査装置において穿刺・測定が完了後、搬送手段により、穿刺済みの血液センサにより保持部で保持しているフィルムを押しながら前記筐体の外部に搬送する搬送ステップと、この搬送ステップの後で、前記使用済み血液センサを内部に包むようにフィルムを保持する第２の保持ステップと、この第２の保持ステップの後で、熱圧着部により、血液センサを包装したフィルムを熱圧着してする封止する封止ステップを有する血液検査装置を用いた検査方法。
【発明の詳細な説明】
【技術分野】
【０００１】
本発明は、血液検査装置とこれを用いた検査方法に関するものである。
【背景技術】
【０００２】
以下、従来の血液検査装置とこれを用いた検査方法について説明する。図３１は、従来の血液検査装置１であり、図３２はこの血液検査装置１を用いた検査方法のフローチャートである。
【０００３】
図３１において、従来の血液検査装置１は、穿刺部８を有する筐体２と、この筐体２内に設けられるとともに血液センサ（以下センサという）３が積層収納されたセンサカートリッジ４と、このセンサカートリッジ４からセンサ３ａを一枚ずつ穿刺部８へ搬送する搬送手段５と、穿刺部８に対向して設けられた穿刺手段６と、穿刺部８に搬送されたセンサ３ａと電気的に接続された電気回路部７とから構成されていた。
【０００４】
以上のように構成された血液検査装置１を用いた血液検査方法について、図３２を用いて説明する。先ずステップ１１において、血液検査装置１を患者の皮膚９（図３１参照）に当接させる。そして、ステップ１２に移行し、穿刺ボタン６ｂを押下する。そうすると、穿刺手段６から穿刺針６ａが発射され皮膚９を穿刺する。皮膚９の穿刺により血液１０が滲出する。
【０００５】
次に、ステップ１３に移行する。ステップ１３において搬送ボタン５ｂを押下する。すると、センサカートリッジ４内に積層収納された一番下のセンサ３ａが穿刺部８へ搬送される。そして、皮膚９から滲出した血液１０をセンサ３ａ内に取り込む。次に、ステップ１４へ移行する。ステップ１４では、センサ３ａ内に取り込まれた血液１０の性質をこのセンサ３ａと電気的に接続された電気回路部７で測定する。測定が終了したらステップ１５へ移行する。ステップ１５では、血液１０が附着されたセンサ３ａを穿刺部８から取り外して廃棄する。
【０００６】
なお、この出願の発明に関連する先行技術文献情報としては、例えば、特許文献１、特許文献２が知られている。
【特許文献１】特表２００４―５１９３０２号公報
【特許文献２】特表２００３―５２４４９６号公報
【発明の開示】
【発明が解決しようとする課題】
【０００７】
しかしながらこのような従来の血液検査装置１では、血液１０が附着して汚れた状態となったセンサ３ａを穿刺部８から取り外さなければならない。このセンサ３ａの取り外しにおいて、センサ３ａに附着した血液１０が患者の手に付着して不衛生となる可能性がある。また、センサ３ａに付着した血液１０の再付着を防止するために何かに包装して廃棄する必要がある。
【０００８】
このように患者は、血液検査をした後においても、血液１０で汚染されたセンサ３ａの取り扱いは、細心の注意を以って包装をしなければならず手間がかかるものであった。
【０００９】
本発明は、この問題を解決したもので、使用済みセンサの取り扱いが容易な血液検査装置を提供することを目的としたものである。
【課題を解決するための手段】
【００１０】
この目的を達成するために、本発明の血液検査装置は、筐体内にフィルムが収納されたフィルムカートリッジを設け、このフィルムカートリッジから導出されたフィルムで穿刺手段による穿刺済みの血液センサを包装する包装手段を有したものである。これにより、初期の目的を達成することができる。
【発明の効果】
【００１１】
以上のように本発明は、筐体内にフィルムが収納されたフィルムカートリッジを設け、このフィルムカートリッジから導出されたフィルムで穿刺手段による穿刺済みの血液センサを包装する包装手段を有したものであり、穿刺済みの血液センサはフィルムで包装されるので、包装された血液センサをそのまま廃棄することができる。従って、患者は穿刺済みの血液センサを包装する必要はなく、その取り扱いは容易である。また、血液が付着した使用済み血液センサを患者が直接触れることは無く衛生的である。また、フィルムをレーザ発射装置の焦点から離して配置することで、レーザ発射装置のレンズに血液が付着することを防ぐ。
【発明を実施するための最良の形態】
【００１２】
（実施の形態１）
以下、本発明の実施の形態について図面に基づいて説明する。図１は、本実施の形態における血液検査装置２１の断面図である。図１において、２２は樹脂で形成されるとともに略直方体形状をした筐体であり、この筐体２２の（図面における）右下角部には穿刺部２５が設けられている。そして、この穿刺部２５に対向してレーザ発射装置（穿刺手段の一例として用いた）２６が装着されている。
【００１３】
２４は、血液センサ（以下、センサという）２３が積層収納されるとともに筐体２２から着脱自在に設けられたセンサカートリッジであり、このセンサカートリッジ２４は、穿刺部２５と一体的に形成されている。
【００１４】
また、センサカートリッジ２４のケース２４ｂに隣接して、フィルム１６が収納されたフィルムカートリッジ１７が一体的に設けられている。また、穿刺部２５の先端には保持部１８が装着されている。この保持部１８に対向してフィルム１６の押し込み切断部１９が設けられている。本実施の形態において保持部１８と、押し込み切断部１９とで包装手段２０を構成している。穿刺済みのセンサ２３は、この包装手段２０によりフィルム１６で包装されるので、血液１０が付着したセンサ２３を包装された状態のまま廃棄することができる。即ち、患者は穿刺済みのセンサ２３を包装する必要はなく、その取り扱いは容易である。また、血液１０が付着した使用済みセンサ２３を患者が直接触れることは無く衛生的である。
【００１５】
レーザ発射装置２６の上方には電気回路部２７と、電池２９が収納されており、センサカートリッジ２４の上方には、負圧手段２８が収納されている。
【００１６】
なお、本実施の形態においては、穿刺手段としてレーザ発射装置２６を用いたが、これはレーザ発射装置２６に限ることはなく、穿刺針を用いた針穿刺装置を用いても良い。この場合、電池２９の消耗は少なくなる。
【００１７】
以下、各構成要素について説明する。図２は、センサカートリッジ２４に積層収納されるセンサ２３の断面図である。このセンサ２３は、基板３１と、この基板３１の上面に貼り合わされたスペーサ３２と、このスペーサ３２の上面に貼り合わされたカバー３３とで構成されている。
【００１８】
３４は、血液１０（図１４参照）の貯留部であり、この貯留部３４は、基板３１の略中央に形成された基板孔３１ａと、この基板孔３１ａに対応してスペーサ３２に形成されたスペーサ孔３２ａと、基板孔３１ａに対応してカバー３３に形成されたカバー孔３３ａとが連通して形成されている。また、３６は、センサ２３の穿刺部２５への装着位置を決める位置決め孔であり、センサ２３を貫通して設けられている。
【００１９】
３５は、この貯留部３４に一方の端が連結された血液１０の供給路であり、貯留部３４に溜められた血液１０を毛細管現象で一気に検出部３７へ導入する通路である。また、この供給路３５の他方の端は空気孔３８に連結している。貯留部３４の容積は０．９０４μＬであり、供給路３５の容積は０．１４４μＬとしている。このように少量の血液１０で検査可能とし、患者への負担を軽減している。
【００２０】
４０は、検出部３７上に載置された試薬である。この試薬４０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して溶解させて試薬溶液を調整し、これを基板３１に形成された検出部３７上に滴下し、乾燥させることで形成したものである。この試薬４０は吸湿すると性能の劣化が進行する。
【００２１】
ここで、基板３１の上面には金、白金、パラジウム等を材料として、スパッタリング法或いは蒸着法により導電層を形成し、これをレーザ加工により検出電極４１〜４５（図３参照）を形成している。この検出電極４１〜４５から夫々導出された接続電極４１ａ〜４５ａと識別電極４７ａは一体的に形成されている。
【００２２】
また、基板３１、スペーサ３２、カバー３３の材質は共にポリエチレンテレフタート（ＰＥＴ）を用いている。材料の共用化を図ることにより、管理コストの低減を図っている。
図３は、センサ２３の透視平面図であり、一方の端には、接続電極４１ａ〜４５ａと、識別電極４７ａが形成されている。接続電極４３ａと識別電極４７ａとの間に、導電体パターンで形成された識別電極４７が形成されている。
【００２３】
３４は、センサ２３の略中央に設けられた血液１０の貯留部であり、この貯留部３４に一方の端が接続された供給路３５が検出電極４２に向かって設けられている。そして、この供給路３５の他方の端は空気孔３８に連結している。この供給路３５上には、貯留部３４から順次接続電極４４ａに接続された検出電極４４と、接続電極４５ａに接続された検出電極４５と、再度接続電極４４ａに接続された検出電極４４と、接続電極４３ａに接続された検出電極４３と、接続電極４１ａに接続された検出電極４１と、再度接続電極４３ａに接続された検出電極４３と、接続電極４２ａに接続された検出電極４２が設けられている。また、検出部３７を形成する検出電極４１，４３上には、試薬４０（図２参照）が載置される。
【００２４】
接続電極４３ａと識別電極４７ａ間の電気的な導通が有るか無いかで、センサ２３が穿刺部２５に装着されたか否かを識別することができる。即ち、このセンサ２３が穿刺部２５へ搬送されたとき、接続電極４３ａと識別電極４７ａ間の電気的な導通を検知することにより、センサ２３が確かに穿刺部２５に装着されたことを検知することができる。若し電気的な導通がなければ、センサ２３が穿刺部２５に装着されていない訳である。この場合は、血液検査装置２１の表示部５０（図２２参照）へ警告を表示することができる。
【００２５】
また、識別電極４７の電気抵抗値を変えることにより、使用する検量線の情報を格納したり、製造情報を格納したりすることが可能となる。従って、これらの情報を用いて、より精密な血液検査を行なうことができる。
【００２６】
図４は、センサ２３の斜視図である。このセンサ２３は長方形状をした板体で形成されている。この板体の略中央には貯留部３４が形成されており、一方の端には接続電極４１ａ〜４５ａと識別電極４７ａが形成されている。また、他方の端近傍には位置決め孔３６が形成されている。この位置決め孔３６は、貯留部３４側が狭まった台形をしている。この位置決め孔３６と貯留部３４との間に空気孔３８が形成されている。
【００２７】
また、センサ２３の接続電極４１ａ〜４５ａ及び４７ａが形成されている側とは反対のもう一方の端には、段差が形成されている。つまりセンサ２３を構成している基板３１の端面(接続電極とは反対の端面)とスペーサ３２の（接続電極とは反対の）端面またはカバー３３の（接続電極とは反対の）端面の位置は異なり(図２参照)、これによりセンサ２３として段差ができる。
【００２８】
このことにより、センサカートリッジ２４内に積層されているセンサ２３を１枚ずつ分離する時にこの段差を利用して分離する。
【００２９】
また分離されたセンサ２３を穿刺部２５まで搬送する時、この端面と段差を規制して穿刺部２５に搬送する。さらに、穿刺部２５にセットした後にスライダ２４ｋ（図５参照）のみを戻す動作の時に、この端面と段差を規制してセンサ２３に干渉しないようにする場合など、スムーズな動作の補助として利用している(センサの搬送の詳細は、後述する)。
【００３０】
図５は、センサカートリッジ２４とその周辺の透視平面図である。センサカートリッジ２４のケース２４ｂの下方側面には、センサ出口２４ａが設けられており、このセンサ出口２４ａに連結して穿刺部２５が一体的に設けられている。また、この穿刺部２５の先端には保持部１８が設けられており、穿刺部２５の上面とケース２４ｂの角にはフィルム１６が収納されたフィルムカートリッジ１７が装着されている。そして、穿刺部２５に対向してレーザ発射装置２６が配置されている。
【００３１】
ケース２４ｂ内には、センサ室２４ｃが設けられており、このセンサ室２４ｃにはセンサ２３が積層収納されている。このセンサ室２４ｃと並行に乾燥室２４ｄが設けられており、上方に設けられた通路２４ｅを介してセンサ室２４ｃと連結されている。また、乾燥室２４ｄ内には乾燥剤４８を収納しても良い。
【００３２】
２４ｆは、センサ室２４ｃの上方に形成された負圧路であり、この負圧路２４ｆから負圧が供給されてセンサ室２４ｃ内を湿気から保護する。２４ｇは、積層収納されたセンサ２３を下方へ押圧する押さえ板であり、この押さえ板２４ｇの略中央には、センサ２３の貯留部３４に対応した位置に孔２４ｈが設けられている。従って、負圧路２４ｆから導入される負圧は、この孔２４ｈを介して各センサ２３の貯留部３４内を乾燥させ、試薬４０を劣化から保護する。また、乾燥室２４ｄから供給される乾燥空気も通路２４ｅを介して各センサ２３の貯留部３４内を乾燥させ、試薬４０を劣化から保護する。２４ｊは、押さえ板２４ｇを下方へ押圧するバネである。
【００３３】
２４ｋはセンサ室２４ｃの下方を摺動するスライダであり、このスライダ２４ｋは一番下のセンサ２３をセンサ出口２４ａ外へ搬送するものである。このスライダ２４ｋは、搬送手段３０で駆動される。
【００３４】
図６は、穿刺部２５とその近傍の断面図である。穿刺部２５は、樹脂で形成された上ホルダ２５ａと、この上ホルダ２５ａに対向して設けられた下ホルダ２５ｂとで構成されている。上ホルダ２５ａは、ケース２４ｂに固定されており、下ホルダ２５ｂは、板バネ２５ｃで上ホルダ２５ａ側へ付勢されている。センサカートリッジ２４のセンサ出口２４ａから搬送されたセンサ２３は、この上ホルダ２５ａと下ホルダ２５ｂの間に挟まれて固定される。
【００３５】
ケース２４ｂと穿刺部２５の角に固定されたフィルムカートリッジ１７からはフィルム１６が導出され、上ホルダ２５ａの上面を通って保持部１８で保持される。この保持部１８は、ゴム（摩擦を有する弾性体）１８ａと、このゴム１８ａ側へ押圧自在な押し付け部材１８ｂと、この押し付け部材１８ｂをゴム１８ａ方向へ押圧する板バネ１８ｃで構成されている。そして、この保持部１８へフィルム１６の先端が挿入され、ゴム１８ａと押し付け部材１８ｂとの間に挟まれて固定される。
【００３６】
レーザ発射装置２６の先端には、押圧部材２６ｍが摺動自在に設けられており、この押圧部材２６ｍはバネ２６ｎで下方へ付勢されている。フィルム１６の挿通は、この押圧部材２６ｍを上方に持ち上げて上ホルダ２５ａとの間を通す。
【００３７】
次に、図７について説明する。２８ａは、負圧室を表し、２８ｃは、負圧手段２８（図１参照）に接続されている負圧経路を示している。
【００３８】
負圧室２８ａは、穿刺部２５を構成する上ホルダ２５ａに形成された孔と、センサ２３の貯留部３４と、穿刺部２５を構成するもう一方の部材である下ホルダ２５ｂの孔から形成されている。
【００３９】
また、負圧室２８ａは、上ホルダ２５ａの内部に形成された穴である負圧経路２８ｃを経由して、装置本体の負圧手段２８（図１参照）に接続されている。
【００４０】
負圧室２８ａの上面は、レーザ発射装置２６の先端部にある押圧部材２６ｍで押さえられたフィルム１６により塞がれている。
【００４１】
次に、図７における動作について説明する。まず、血液成分の測定をする場合、下ホルダ２５ｂの皮膚当接面（図７において下側）に皮膚９（図では、皮膚の一例である「指」を示している）を当接する。この時、フィルム１６と皮膚９で負圧室２８ａを密閉することになる。
【００４２】
この密閉した状態で装置本体の負圧手段２８を駆動させることにより負圧経路２８ｃを介して負圧室２８ａ内部の圧力を下げ、皮膚９（指）の吸引を行なう。
【００４３】
このように、フィルム１６を穿刺部２５の上面に配置し、負圧室２８ａ及び負圧経路２８ｃを穿刺部２５内に設けることで、且つレーザ発射装置２６の先端部にある押圧部材２６ｍにより、フィルムが規制され、確実に負圧することができる。
【００４４】
図８は、センサカートリッジ２４の斜視図である。ケース２４ｂには、穿刺部２５が一体的に設けられているので、センサカートリッジ２４と同時に穿刺部２５を交換することができる。従って、検査時、毎回、皮膚１０が接触したり、検査のために皮膚から滲出する血液の付着の可能性があったりする穿刺部２５は、定期的に交換されるため、衛生的である。また、この穿刺部２５の側面には、センサ２３の信号を電気回路部２７に伝達するためのコネクタ５１が設けられている。１７はセンサ２３を覆うフィルムが収納されているフィルムカートリッジであり、１８はそのフィルムの端を保持する保持部である。
【００４５】
図９は、穿刺部２５とその周辺の斜視図である。図９において、穿刺部２５の先端に設けられた保持部１８の上方には、フィルム１６を保持部１８へ押し込むとともに切断する押し込み切断部１９が設けられている。この押し込み切断部１９は、筐体２２に設けられたセンサ２３を排出するための排出口２２ａ（図示せず）の上方に摺動自在に取り付けられている。押し込み切断部１９は、ツマミ１９ａと、このツマミ１９ａの下方に連結された押し込み部材１９ｂと、この押し込み部材１９ｂと並行に装着された切断刃１９ｃとで構成されている。ツマミ１９ａは、外部から手動により上下方向へスライドさせることができる。なお、このツマミ１９ａの上下は電動で制御することもできる。
【００４６】
１８ｃは、押し付け部材１８ｂをゴム１８ａ方向に付勢するバネである。また、５１は穿刺部２５の上面に設けられたコネクタである。
【００４７】
図１０は、穿刺部２５を構成する上ホルダ２５ａの側面図であり、図１１はそれを下面２５ｅ側から見た斜視図である。この上ホルダ２５ａには、上面２５ｆから下面２５ｅへ貫通する孔２５ｇが設けられている。この孔２５ｇはレーザ発射装置２６（図９参照）に対向して設けられており、レーザ光２６ｈ（図１４参照）が貫通する孔である。なお、穿刺針を用いた針穿刺装置においては、この孔２５ｇを穿刺針が貫通する。また、センサ２３が穿刺部２５内に装着された場合、センサ２３に設けられた貯留部３４（図２、３、４参照）の位置に対応している。また、この孔２５ｇの下方は、「Ｌ」字状に折れ曲がっている。この「Ｌ」字状に折れ曲がった先端２５ｈは、センサ２３に形成された空気孔３８の位置に対応している。これは、センサ２３に形成された供給路の毛細管現象の効果を確実にするためである。また、この孔２５ｇを介して負圧が供給される。
【００４８】
２５ｊは、開口部２５ｄと孔２５ｇとの間に設けられた突起であり、センサ２３に設けられた位置決め孔３６（図４参照）と嵌合して、センサ２３の進行方向の位置決めをするものである。この突起２５ｊは孔２５ｇ方向に向かって狭まった台形をしている。また、開口部２５ｄ方向から孔２５ｇに向かって徐々に厚くなっている。従って、センサ２３は容易に挿入されて固定される。
【００４９】
２５ｋは、ホルダ２５ａの両横に夫々設けられた位置決め用の凸部であり、孔２５ｇの真横位置（センサ２３の進行方向とは垂直の方向の位置）に設けられている。この凸部２５ｋはセンサ２３の横方向（センサ２３の進行方向とは垂直の方向）の位置決めをするものである。また、４９はコネクタであり、開口部２５ｄの反対側に設けられている。このコネクタ４９はセンサ２３の接続電極４１ａ〜４５ａ、識別電極４７ａと接続されるものであり、穿刺部２５の側面に設けられたコネクタ５１に電気的に接続されている。このコネクタ５１を介して電気回路部２７に接続される。なお、突起２５ｊ、凸部２５ｋは下ホルダ２５ｂ側に設けても良い。
【００５０】
図１２は、下ホルダ２５ｂの断面図であり、上ホルダ２５ａに形成された孔２５ｇと連通する孔２５ｍが設けられている。この孔２５ｍに連結して、下側に向かって開口した負圧室２８ａが設けられている。また、この負圧室２８ａに隣接して皮膚検知センサ２８ｂが設けられている。この皮膚検知センサ２８ｂは、コネクタ２８ｅを介して電気回路部２７に接続されている。
【００５１】
この皮膚検知センサ２８ｂは、メカ的なスイッチを用いても良いし、電気的な導通を検知するものであっても良い。また、発光ダイオードと受光トランジスタを用いた光学的なセンサであっても良く、磁気的なセンサであっても良い。本実施も形態では、皮膚検知センサ２８ｂは、皮膚９の導通抵抗を検知する電気的なセンサを用いている。従って、電池２９を消耗させることはない。
【００５２】
図１３は、レーザ発射装置２６の断面図である。レーザ発射装置２６は、発振チューブ２６ａと、この発振チューブ２６ａに連結された筒体２６ｂとで構成されている。発振チューブ２６ａ内には、Ｅｒ：ＹＡＧ（イットリウム・アルミニウム・ガーネット）レーザ結晶２６ｃとフラッシュ光源２６ｄ（光源の一例）が格納されている。このフラッシュ光源２６ｄは、電気回路部２７に設けられた高電圧発生回路２７ｈ（図２２参照）に接続されている。
【００５３】
発振チューブ２６ａの一方の端には透過率約１％の部分透過鏡２６ｅが装着されており、他方の端には全反射鏡２６ｆが装着されている。部分透過鏡２６ｅの前方の筒体２６ｂ内には凸レンズ２６ｇが装着されており、レーザ光２６ｈで患者の皮膚下に焦点を結ぶように設定されている。
【００５４】
以上のように構成されたレーザ発射装置２６について、以下にその動作を説明する。皮膚検知センサ２８ｂ（図１２、１４，２２参照）が皮膚９を検知すると、タイマ２７ｋ（図２２参照）により計測された予め定められた時間の経過した時点、或いは、負圧手段２８へ供給する電流の変化を検出した時点、以上の2つの時点の何れかと、高電圧発生回路２７ｈへ十分なチャージがされた時点との両方の条件により、高電圧発生回路２７ｈ）が駆動し、フラッシュ光源２６ｄが励起される。このフラッシュ光源２６ｄから放射された光は、Ｅｒ：ＹＡＧレーザ結晶２６ｃ内に入り、ここで、全反射鏡２６ｆとＹＡＧレーザ結晶２６ｃと部分透過鏡２６ｅの間を反射して共振するとともに増幅される。この増幅されたレーザ光の一部は誘導放出により部分透過鏡２６ｅを通過する。この部分透過鏡２６ｅを通過したレーザ光２６ｈはレンズ２６ｇを透過して放射され、皮膚９下で焦点を結ぶ。穿刺する際の焦点の深さは、皮膚９から０．１ｍｍ〜１．５ｍｍが適しており、本実施の形態では０．５ｍｍとしている。
【００５５】
本実施の形態では、患者の皮膚９へ非接触で穿刺できるレーザ発射装置２６を用いているので、衛生的である。また、可動部品は無く故障も少なくなる。なお、このレーザ光２６ｈでの穿刺電圧は、３００Ｖ〜５００Ｖとしている。従って、患者に与える苦痛も少ない。
【００５６】
負圧手段２８（図１参照）は、モータとポンプで構成されている。この負圧手段２８で生成された負圧は、負圧路２８ｃ（図１４参照）を介して穿刺部２５の負圧室２８ａへ導かれる。また、負圧路２４ｆ（図５参照）を介してセンサ室２４ｃへも導かれている。負圧路２８ｃと負圧路２４ｆとの負圧の切り替えは、切り替え弁２８ｄ（図示せず）で行われる。この切り替え弁２８ｄの制御と、負圧手段２８のオン・オフの制御は電気回路部２７で制御される。また、この負圧手段２８は、電流の変化を検出する電流変化検出部を有している。
【００５７】
図１４は、血液検査装置２１を用いた穿刺動作実施時の要部断面図である。なお、ここでは説明を簡略化するためにフィルム１６に関係する部分を省略している。フィルム１６に関係する部分については、図１５以降で詳述する。
【００５８】
図１４において、下ホルダ２５ｂの下面には負圧室２８ａが形成されており、この負圧室２８ａは、下ホルダ２５ｂに形成された孔２５ｍと貯留部３４と上ホルダ２５ａに形成された孔２５ｇと負圧路２８ｃを介して負圧手段２８に連結されている。負圧室２８ａの周囲を形成する凸部には皮膚検知センサ２８ｂが設けられている。４９（４９ａ〜４９ｆ）は、上ホルダ２５ａに設けられたコネクタであり、センサ２３に形成された接続電極４１ａ〜４５ａ、識別電極４７ａ（図３、図４参照）対応して設けられている。このコネクタ４９（４９ａ〜４９ｆ）は、夫々対応してコネクタ５１（５１ａ〜５１ｆ）に接続されている。即ち、接続電極４１ａ〜４５ａ、識別電極４７ａの信号はコネクタ４９とコネクタ５１を介して電気回路部２７へ導かれる。
【００５９】
以上のように構成された血液検査装置２１を皮膚９に当接させると、皮膚検知センサ２８ｂから信号が出力される。この皮膚検知センサ２８ｂから出力される信号は電気回路部２７へ導かれる。穿刺ボタンの押下、或いは穿刺条件が整うことにより自動的にレーザ発射装置２６からはレーザ光２６ｈが発射される。このレーザ光２６ｈは、孔２５ｇと貯留部３４と孔２５ｍを一直線上に貫通して皮膚９を穿刺する。皮膚９が穿刺されると、この皮膚９からは血液１０が滲出し貯留部３４内には血液滴１０ａが形成される。この血液滴１０ａは検出部３７（図３参照）に取り込まれ、試薬４０と反応する。試薬４０と反応した信号はコネクタ４９、５１を介して電気回路部２７で測定される。このとき滲出した血液１０でセンサ２３は汚れることになる。
【００６０】
以下、図１５から図２１を用いて包装手段２０の動作を説明する。本実施の形態において、包装手段２０は、フィルム１６の端を固定保持する保持部１８と、使用後のセンサ２３をフィルム１６で包装した後、そのフィルム１６を切断する押し込み切断部１９とから構成されている。
【００６１】
図１５は、第１の状態であり、フィルムカートリッジ１７からフィルム１６を導出する。導出されたフィルム１６は、穿刺部２５と押圧部材２６ｍの間を通す。このとき、バネ２６ｎ（図６参照）の付勢力に抗して押圧部材２６ｍを上方に持ち上げる。そして、穿刺部２５と押圧部材２６ｍの間に隙間を形成し、この隙間にフィルム１６を通す。押圧部材２６ｍを離すとバネ２６ｎの力で穿刺部２５と押圧部材２６ｍの間は閉じる。
【００６２】
保持部１８に設けられた押し付け部材１８ｂを、板バネ１８ｃの付勢力に抗してゴム１８ａとの間に隙間を形成する。そして、この隙間へフィルム１６の先端を挿入し、押し付け部材１８ｂを離す。押し付け部材１８ｂは、板バネ１８ｃによりフィルム１６とともにゴム１８ａ側へ押圧されて固定される。この状態においては、押し込み切断部１９は上方に位置しており、スライダ２４ｋはセンサカートリッジ２４内に位置している。
【００６３】
ここで用いるフィルム１６は、波長２９４ｎｍのＹＡＧレーザ光２６ｈを通過させるものであり、ポリエチレン、ポリプロピレン、ポリイミド等を使用することができる。
このフィルム１６は、レーザ光２６ｈを透過させる材料で形成されているので、レーザ光２６ｈの透過に対して妨害とはならない。また、このフィルム１６は、少なくとも下ホルダ２５ｂとセンサ２３と上ホルダ２５ａの厚みで形成される距離の分だけ、穿刺位置である皮膚９から離れているので、レーザ光２６ｈの焦点位置からも十分離れた位置に配置されることになる。従って、レーザ光２６ｈでフィルム１６に孔が開いたりして破壊されることはない。従って、皮膚を穿刺後、滲出した血液１０でレーザ発射装置のレンズ２６ｇが汚れることを防ぐことができる。
【００６４】
なお、保持部１８のゴム１８ａと押し付け部材１８ｂとの間にフィルム１６が挿入されたことを検知するフィルム検知センサ１８ｄ（図示せず）が設けられおり、このフィルム検知センサ１８ｄの信号は電気回路部２７に接続されている。
【００６５】
図１６は、第２の状態である。この第２の状態ではレーザ発射装置２６による穿刺が終了している。スライダ２４ｋを排出口２２ａ方向に移動させ、センサ２３を排出口２２ａから押し出す。このとき、使用済みのセンサ２３ｂはフィルム１６で包まれるようにして押し出される。
【００６６】
図１７は、第３の状態である。この第３の状態では、フィルム１６に包まれた使用済みセンサ２３ｂを置き去りにして、スライダ２４ｋをセンサカートリッジ２４内に戻す。
図１８は、第４の状態である。この第４の状態では、押し込み切断部１９を下降させ、押し込み部材１９ｂで保持部１８のゴム１８ａと押し付け部材１８ｂの間にフィルム１６を押し込む。
【００６７】
図１９は、第５の状態である。この第５の状態では、押し込み切断部１９を更に下方に下ろし、切断刃１９ｃでフィルム１６を切断する。この切断によりフィルム１６に包まれたセンサ２３は、血液検査装置２１から分離されることになる。
【００６８】
図２０は、第６の状態である。この第６の状態では、押し込み切断部１９を上昇させ、保持部１８から分離させる。切断された残りのフィルム１６の端は、板バネ１８ｃの押圧力でゴム１８ａと押し付け部材１８ｂとの間に挟まれて固定される。これで、フィルム１６と保持部１８の関係は始めの関係（図１５）に戻る。
【００６９】
図２１は、包装手段２０により、包装されたセンサ２３ｂが分離された状態を示している。フィルム１６の幅は、血液センサ２３ｂの幅よりも十分に大きなサイズであるため、血液センサからの血液などの漏れを防ぐことができる。
【００７０】
図２２は、電気回路部２７とその近傍のブロック図である。図２２において、センサ２３の接続電極４１ａ〜４５ａ（図３参照）は、コネクタ４９ａ〜４９ｅとコネクタ５１ａ〜５１ｅを介して切換回路２７ａに接続されている。この切換回路２７ａの出力は、電流／電圧変換器２７ｂの入力に接続されている。そして、その出力はアナログ／デジタル変換器（以後、Ａ／Ｄ変換器という）２７ｃを介して演算部２７ｄの入力に接続されている。この演算部２７ｄの出力は、液晶で形成された表示部５０と送信部２７ｅに接続されている。また、切換回路２７ａには基準電圧源２７ｆが接続されている。なお、この基準電圧源２７ｆはグランド電位であっても良い。
【００７１】
２７ｇは制御部であり、この制御部２７ｇの出力は、レーザ発射装置２６が接続された高電圧発生回路２７ｈと、切換回路２７ａの制御端子と、演算部２７ｄと、送信部２７ｅと、負圧手段２８と、搬送手段３０に接続されている。また、制御部２７ｇの入力には、フィルム１６の保持部１８への装着を検知するフィルム検知センサ１８ｄと、演算部２７ｄと、皮膚検知センサ２８ｂと、タイマ２７ｋと、識別電極４７ａに接続されたコネクタ４９ｆが接続されている。
【００７２】
以下、電気回路部２７の動作を説明する。先ず、皮膚検知センサ２８ｂが皮膚９を検知すると、この皮膚９の検知信号に基づいて負圧手段２８をオンする。続いて、レーザ発射装置２６が皮膚９を穿刺する。そして、この穿刺により滲出した血液１０の性質を測定する。測定動作では、切換回路２７ａを切換えて、検出電極４１（図３参照）を電流／電圧変換器２７ｂに接続する。また、血液１０の流入を検知するための検知極となる検出電極４２を基準電圧源２７ｆに接続する。そして、検出電極４１及び検出電極４２間に一定の電圧を印加する。この状態において、血液１０が流入すると、検出電極４１，４２間に電流が流れる。この電流は、電流／電圧変換器２７ｂによって電圧に変換され、その電圧値はＡ／Ｄ変換器２７ｃによってデジタル値に変換される。そして、演算部２７ｄに向かって出力される。演算部２７ｄはそのデジタル値に基づいて血液１０が十分に流入したことを検出する。なお、この時点で負圧手段２８の動作をオフにする。
【００７３】
次に、血液成分であるグルコースの測定が行なわれる。グルコース成分量の測定は、先ず、制御部２７ｇの指令により、切換回路２７ａを切換えて、グルコース成分量の測定のための作用極となる検出電極４１を電流／電圧変換器２７ｂに接続する。また、グルコース成分量の測定のための対極となる検出電極４３を基準電圧源２７ｆに接続する。
【００７４】
なお、血液中のグルコースとその酸化還元酵素とを一定時間反応させる間は、電流／電圧変換器２７ｂ及び基準電圧源２７ｆをオフにしておく。そして、一定時間（１〜１０秒）の経過後に、制御部２７ｇの指令により、検出電極４１と４３間に一定の電圧（０．２〜１Ｖ）を印加する。そうすると、検出電極４１，４３間に電流が流れる。この電流は電流／電圧変換器２７ｂによって電圧に変換され、その電圧値はＡ／Ｄ変換器２７ｃによってデジタル値に変換される。そして、演算部２７ｄに向かって出力される。演算部２７ｄではそのデジタル値を基にグルコース成分量に換算する。
【００７５】
グルコース成分量の測定後、Ｈｃｔ値の測定が行なわれる。Ｈｃｔ値の測定は次のように行なわれる。先ず、制御部２７ｇからの指令により切換回路２７ａを切換える。そして、Ｈｃｔ値の測定のための作用極となる検出電極４５を電流／電圧変換器２７ｂに接続する。また、Ｈｃｔ値の測定のための対極となる検出電極４１を基準電圧源２７ｆに接続する。
【００７６】
次に、制御部２７ｇの指令により、電流／電圧変換器２７ｂ及び基準電圧源２７ｆから検出電極４５と４１間に一定の電圧（２Ｖ〜３Ｖ）を印加する。検出電極４５と４１間に流れる電流は、電流／電圧変換器２７ｂによって電圧に変換され、その電圧値はＡ／Ｄ変換器２７ｃによってデジタル値に変換される。そして演算部２７ｄに向かって出力される。演算部２７ｄはそのデジタル値に基づいてＨｃｔ値に換算する。
【００７７】
この測定で得られたＨｃｔ値とグルコース成分量を用い、予め求めておいた検量線または検量線テーブルを参照して、グルコース成分量をＨｃｔ値で補正し、その補正された結果を表示部５０に表示する。何れの検量線または検量線テーブルを用いるかは、センサ２３内の識別電極４７に基づいて決定する。また、検量線または検量線テーブルで補正された結果を送信部２７ｅからインスリンを注射する注射装置に向けて送信する。この送信は電波を用いることもできるが、医療器具への妨害のない光通信で送信することが好ましい。
【００７８】
このように補正された測定データを送信部２７ｅから送信することにより、インスリンの投与量が注射装置に自動的に設定されるようにすれば、患者が投与するインスリンの量を注射装置に設定する必要は無く、設定の煩わしさは無くなる。また、人為手段を介さずにインスリンの量を注射装置に設定することができるので、設定のミスを防止することができる。
【００７９】
以上、グルコースの測定を例に説明したが、センサ２３の試薬４０を交換して、グルコースの測定の他に乳酸値やコレステロールの血液成分の測定にも適用できる。
【００８０】
次に、図２３を用いて血液１０の検査方法を説明する。先ずステップ６０では、保持部１８へのフィルム１６の装着を検知する。このフィルム１６の装着は、フィルム検知センサ１８ｄで検知される。また、センサカートリッジ２４に設けられたセンサ出口２４ａが開となる。
【００８１】
このフィルム検知センサ１８ｄの出力があれば、表示部５０には穿刺部２５へ皮膚９の当接を促す旨の表示がされる。表示に続いてステップ６１へ移行する。ステップ６１において、患者は表示部５０の指示に従い血液検査装置２１を皮膚９に当接させる。この皮膚９への当接は皮膚検知センサ２８ｂの出力で行う。
【００８２】
次に、ステップ６２に移行する。ステップ６２では、皮膚検知センサ２８ｂの信号により搬送手段３０が自動的に駆動する。そしてセンサカートリッジ２４内の一番下のセンサ２３ａを一枚分離して穿刺部２５へ搬送する。この搬送の確認は、センサ２３ａの接続電極４３ａと識別電極４７ａの導通を検知することにより行なう。
【００８３】
皮膚検知センサ２８ｂが出力されていることを条件にステップ６３に移行し、負圧手段２８を動作させる。そして、穿刺部２５に設けられた負圧室２８ａ内に負圧を加える。また、高電圧発生回路２７ｈはチャージを開始する。
【００８４】
負圧を加えることにより皮膚９は盛り上がる。負圧手段２８の動作に伴う電流の変化、或いはタイマ２７ｋにより予め定められた時間（３〜１０秒）の何れかと、高電圧発生回路２７ｈによるチャージの完了（４〜１０秒）を検出したことにより、貯留部３４内の皮膚９が負圧により十分盛り上がるとともに穿刺に必要なチャージが完了したと判断し、ステップ６４に移行する。
【００８５】
そしてレーザ発射装置２６により皮膚９を穿刺する。なお、この穿刺は制御部２７ｇに穿刺ボタン２７ｊを接続し、この穿刺ボタン２７ｊの押下を検出して穿刺しても良い。皮膚９の穿刺により、滲出した血液１０により血液１０が附着したセンサ２３ｂとなる。そして、このセンサ２３ｂの貯留部３４に取り込まれる。この貯留部３４に取り込まれた血液１０は、供給路３５による毛細管現象により一気に（定まった流速で）検出電極４２（図３参照）に導入される。血液１０が検出電極４２に達すると負圧手段２８の動作は自動的にオフされ、ステップ６５に移行する。
【００８６】
ステップ６５では、既に血液１０は検出部３７に取り込まれており、血液１０の血糖値が測定される。なお、この血糖値の測定が終了した時点で負圧手段２８を自動的にオフするようにしても良い。この場合、負圧手段２８の動作により、患者は測定中であることを認識することができるので、この測定中は血液検査装置２１を揺動させないように注意することができる。
【００８７】
次に、ステップ６６に移行し、電気回路部２７で測定した血糖値を表示部５０に表示する。この血糖値の測定結果は、送信部２７ｅから注射装置に向かって自動的に送信しても良い。そして、ステップ６７へ移行する。ステップ６７では、搬送手段３０を動作させて、センサ２３ｂを排出口２２ａから排出する。そして、ステップ６８に移行し、包装手段２０で穿刺済みのセンサ２３ｂを包装する。包装されたセンサ２３ｂは血液検査装置２１から分離される。
【００８８】
そして、ステップ６９へ移行する。ステップ６９では、予め定められた時間センサカートリッジ２４に負圧を供給する。これはセンサ２３の湿気による劣化を遅延させるためである。センサカートリッジ２４への負圧の充填が終了した時点で、血液検査装置２１の電源は自動的にオフされる。
【００８９】
以上、説明したように、使用済みのセンサ２３ｂは、ステップ６８で包装手段２０を構成する保持部１８と押し込み切断部１９により包装されるので、使用済みのセンサ２３ｂの取り扱いに関する煩わしさは無い。
【００９０】
また、穿刺は貯留部３４を貫通（図１４参照）して行なわれるので、滲出した血液１０は全て貯留部３４に溜まり血液検査に用いられる。従って、滲出した血液１０は全て有効に用いられるため、無駄な血液を出す必要は無く、患者にかける負担も最小のものとなる。
【００９１】
（実施の形態２）
図２４は、実施の形態２における血液検査装置７１の透視平面図である。本実施の形態では、搬送手段７６によるスライダ７５ｋの動作とセンサ２３の搬送を中心について説明している。なお、実施の形態１と同じものについては、同符号を付して説明を簡略化している。
【００９２】
図２４において、７２は筐体であり、この筐体７２内には、センサ２３が積層収納されたセンサカートリッジ７４が着脱自在に装着されている。このセンサカートリッジ７４の下方には、スライダ７５ｋを動作させる搬送手段７６が設けられており、スライダ７５ｋによりセンサカートリッジ７４内に積層収納された一番下のセンサ２３を分離させて穿刺部２５へ搬送する。
【００９３】
穿刺部２５の上方には、レーザ発射装置２６が穿刺部２５に対向して設けられており、このレーザ発射装置２６の上方には、電気回路部２７と電池２９が格納されている。また、センサカートリッジ７４の上方には負圧手段２８が格納されている。
【００９４】
センサカートリッジ７４のケース７４ｂと穿刺部２５の上方の角には、フィルムカートリッジ１７が装着されている。また、穿刺部２５の先端には保持部１８と押し込み切断部１９が設けられている。保持部１８と押し込み切断部１９の下流側には、排出口７２ａが設けられており、この排出口７２ａにはセンサ２３ｂの係止手段７０が設けられている。
【００９５】
この係止手段７０は、弾性を有するとともに発熱体で形成された係止部材７０ａと、この係止部材７０ａに対向して設けられた台座７０ｂとで構成されている。この係止手段７０は、センサ２３ｂに形成された位置決め孔３６へ係止部材７０ａが侵入するとともに台座７０ｂと協働してセンサ２３ｂを係止させる働きを有している。また、センサ２３ｂを係止した状態で、係止部材７０ａに電流を流して発熱させてフィルム１６（図２５参照）を接着し、センサ２３ｂ（図２７参照）を包装するものである。また、このフィルム１６には、熱で溶融するホットメルトシートを使用しても良い。
【００９６】
本実施の形態におけるセンサカートリッジ７４は、単独で形成されており、実施の形態１におけるセンサカートリッジ２４のように、穿刺部２５、フィルムカートリッジ１７、保持部１８、搬送手段７６が一体になっているものではない。従って、小型で低コストのセンサカートリッジ７４を実現することができる。
【００９７】
また、上ホルダ２５ａは筐体７２に固定されており、レーザ発射装置２６も筐体７２に固定されているので、レーザ発射装置２６から下ホルダ２５ｂまでの距離は正確に一定となる。従って、穿刺深さも設定通りの値の穿刺が可能となる。なお、これは下ホルダ２５ｂを固定して、上ホルダ２５ａを可変しても同じことになる。
【００９８】
次に、図２５〜図３０を用いてセンサ２３の搬送を中心にその動作を説明する。図２５は、スライダ７５ｋの第１の状態であり、スライダ７５ｋで、センサカートリッジ７４内に積層収納された一番下のセンサ２３ａを穿刺部２５へ搬送する。この搬送は、スライダ７５ｋの先に設けられた載置部７５ｕにセンサ２３ａを載せた状態でバネで上方に付勢されている下ホルダ２５ｂを押し開けながら上ホルダ２５ａと下ホルダ２５ｂの間へ挿入する。この搬送の停止は、センサ２３ａの識別電極４７の検出で行なう。このとき、上ホルダ２５ａに設けられた突起２５ｊがセンサ２３ａに形成された位置決め孔３６に係合して位置決めされる。
【００９９】
図２６は、スライダ７５ｋの第２の状態であり、センサ２３ａは位置決め孔３６が突起２５ｊに係合している。従って、センサ２３ａを穿刺部２５に残して、スライダ７５ｋは、センサカートリッジ２４方向に戻すことができる。このとき、センサ２３ａを載せるスライダ７５ｋの載置部７５ｕは、積層収納されたセンサ２３ｃの長さ（前後）方向の途中で停止する。このことで、新しいセンサ２３ｃが載置部７５ｕに載置されることはない。そして、この状態において、レーザ発射装置２６を動作させて穿刺する。穿刺によりセンサ２３ａには血液１０がセンサ２３ｂに取り込まれることになる。
【０１００】
図２７は、スライダ７５ｋの第３の状態であり、スライダ７５ｋを再び前進させて、穿刺した使用済みのセンサ２３ｂを載置部７５ｕに載置する。このとき新しいセンサ２３ｃはそのままセンサカートリッジ７４内に残っている。
【０１０１】
図２８は、スライダ７５ｋの第４の状態であり、スライダ７５ｋを更に前進させて、フィルム１６に包まれた状態で使用済みセンサ２３ｂを排出口７２ａから排出させる。使用済みセンサ２３ｂの位置決め孔３６に係止部材７０ａが係止された位置で搬送を停止させる。
【０１０２】
図２９は、スライダ７５ｋの第５の状態であり、使用済みセンサ２３ｂはスライダ７５ｋから分離されスライダ７５ｋをセンサカートリッジ７４内に戻す。このとき、使用済みセンサ２３ｂは係止手段７０に係止された状態である。そして、スライダ７５ｋの載置部７５ｕに新しいセンサ２３ｃを載置させる。
【０１０３】
また、この状態において、保持部１８と押し込み切断部１９が協働して、フィルム１６を保持部１８へ押し込み、少し遅れてフィルム１６を切断する。続いて、係止部材７０ａを発熱させる。すると、台座７０ｂと係止部材７０ａに挟まれたフィルム１６はセンサ２３ｂの位置決め孔３６内で接着される。接着されることにより、フィルム１６に包装されたセンサ２３ｂは露出したりこぼれ落ちたりすることは無くなる。
【０１０４】
図３０は、第６の状態であり、スライダ７５ｋはそのままの位置にとどまっている。フィルム１６に包まれた使用済みセンサ２３ｂを前方に引き抜くと、使用済みセンサ２３ｂは包装された状態で血液検査装置７１から分離される。分離される直前に再度係止部材７０ａに熱を加えてフィルム１６同士を接着しても良い。
【０１０５】
係止部材７０ａは前方に向かって傾斜しているので、前方へは容易に引き抜くことができる。引き抜いて分離された使用済みセンサ２３ｂはフィルム１６に包装されて封印されているので、包装する手間が省けるばかりでなく、手を汚すこともない。
【産業上の利用可能性】
【０１０６】
本発明にかかるレーザ穿刺装置は、穿刺済みのセンサの廃棄において、患者にかける負担が少ないので、血液の採取等を必要とする医療機器等の用途に適用できる。
【図面の簡単な説明】
【０１０７】
【図１】本発明の実施の形態１における血液検査装置の断面図
【図２】同、血液検査装置に用いるセンサの断面図
【図３】同、センサの透視平面図
【図４】同、センサの外観斜視図
【図５】同、血液検査装置に収納されるセンサカートリッジとその周辺の透視平面図
【図６】同、穿刺部周辺の要部断面図
【図７】同、負圧室及び負圧経路を有する穿刺部及び周辺部分の腰部断面図
【図８】同、センサカートリッジの斜視図
【図９】同、センサカートリッジの穿刺部と本体の要部斜視図
【図１０】同、穿刺部を構成する上ホルダの側面図
【図１１】同、上ホルダの外観斜視図
【図１２】同、穿刺部を構成する下ホルダの断面図
【図１３】同、レーザ発射装置の断面図
【図１４】同、穿刺状態時の要部断面図
【図１５】同、穿刺部とその近傍の第１の状態断面図
【図１６】同、第２の状態断面図
【図１７】同、第３の状態断面図
【図１８】同、第４の状態断面図
【図１９】同、第５の状態断面図
【図２０】同、第６の状態断面図
【図２１】同、第７の状態断面図
【図２２】同、電気回路部とその近傍のブロック図
【図２３】同、検査方法のフローチャート
【図２４】同、実施の形態２における血液検査装置の透視平面図
【図２５】同、穿刺部とその近傍の第１の状態断面図
【図２６】同、第２の状態断面図
【図２７】同、第３の状態断面図
【図２８】同、第４の状態断面図
【図２９】同、第５の状態断面図
【図３０】同、第６の状態断面図
【図３１】従来の血液検査装置の断面図
【図３２】同、検査方法のフローチャート
【符号の説明】
【０１０８】
１６    フィルム
１７    フィルムカートリッジ
１８    保持部
１９    押し込み切断部
２０    包装手段
２１    血液検査装置
２２    筐体
２３    センサ
２３ｂ    使用済みのセンサ
２４    センサカートリッジ
２５    穿刺部
２６    レーザ発射装置
２７    電気回路部
３０    搬送手段
【図１】
2009022405.tif 000003
【図２】
2009022405.tif 000004
【図３】
2009022405.tif 000005
【図４】
2009022405.tif 000006
【図５】
2009022405.tif 000007
【図６】
2009022405.tif 000008
【図７】
2009022405.tif 000009
【図８】
2009022405.tif 000010
【図９】
2009022405.tif 000011
【図１０】
2009022405.tif 000012
【図１１】
2009022405.tif 000013
【図１２】
2009022405.tif 000014
【図１３】
2009022405.tif 000015
【図１４】
2009022405.tif 000016
【図１５】
2009022405.tif 000017
【図１６】
2009022405.tif 000018
【図１７】
2009022405.tif 000019
【図１８】
2009022405.tif 000020
【図１９】
2009022405.tif 000021
【図２０】
2009022405.tif 000022
【図２１】
2009022405.tif 000023
【図２２】
2009022405.tif 000024
【図２３】
2009022405.tif 000025
【図２４】
2009022405.tif 000026
【図２５】
2009022405.tif 000027
【図２６】
2009022405.tif 000028
【図２７】
2009022405.tif 000029
【図２８】
2009022405.tif 000030
【図２９】
2009022405.tif 000031
【図３０】
2009022405.tif 000032
【図３１】
2009022405.tif 000033
【図３２】
2009022405.tif 000034